(57)【要約】      （修正有）【課題】比較的簡単な構造であるにもかかわらず、照明器具本体によって照明される照明空間をほぼ一様な明るさに保持し易く、発光素子が点灯しているときの透光性カバー部材の外側面にかげり部分が生じ難い照明器具を提供する。【解決手段】照明器具本体２に取付け固定される発光素子照明板部５が、ほぼリング状の内周側発光素子照明板部６と、この内周側発光素子照明板部６とは別体に構成されたほぼリング状の外周側発光素子照明板部７とを備えている。【選択図】図２
0003193698.tif 000002
【実用新案登録請求の範囲】
【請求項１】
器具取付け部に取付けられる被取付け部を有する照明器具本体を備え、
上記照明器具本体が、基台部と、上記基台部に直接または間接的に取付け固定された発光素子照明板部とを備え、
上記発光素子照明板部が、ほぼリング状の内周側発光素子照明板部と、この内周側発光素子照明板部とは別体に構成されたほぼリング状の外周側発光素子照明板部とを備えていることを特徴とする照明器具。
【請求項２】
上記照明器具本体に着脱自在に取付けられた透光性カバー部材をさらに備えていることを特徴とする請求項１に記載の照明器具。
【請求項３】
上記内周側発光素子照明板部が、第１の電気的補助部品を介して上記基台部に取付け固定されることによって、上記照明器具の軸心の方向において上記外周側発光素子照明板部よりも上記基台部から離間していることを特徴とする請求項１または２に記載の照明器具。
【請求項４】
上記内周側発光素子照明板部が、上記第１の電気的補助部品を介するとともに支柱部材を介して上記基台部に固定された状態でもって、上記基台部に取付けられていることを特徴とする請求項３に記載の照明器具。
【請求項５】
上記第１の電気的補助部品が、電源回路部および操作スイッチ機構ならびにセンサのうちの１種類または複数種類の電気的補助部品であることを特徴とする請求項３または４のうちのいずれか１つに記載の照明器具。
【請求項６】
上記内周側発光素子照明板部が、この内周側発光素子照明板部の周方向に延在している少なくとも１つの第１の発光素子列を備え、
上記外周側発光素子照明板部が、この外周側発光素子照明板部の周方向に延在している少なくとも１つの第２の発光素子列を備え、
上記内周側発光素子照明板部の発光素子取付け基板の外周囲と上記外周側発光素子照明板部の発光素子取付け基板の内周囲とのうちのいずれか一方に切欠き部が形成されるとともに、他方には突出部がこの切欠き部にほぼ対向するように形成され、
第２の電気的補助部品が、上記切欠き部付近において、上記基台部に取付け固定され、
補足的な発光素子列が上記突出部に配設されていることを特徴とする請求項１〜５のうちのいずれか１つに記載の照明器具。
【請求項７】
上記第２の電気的補助部品が、操作スイッチ機構および電源回路部ならびにセンサのうちの１種類または複数種類の電気的補助部品であることを特徴とする請求項６に記載の照明器具。
【考案の詳細な説明】
【技術分野】
【０００１】
本考案は、器具取付け部に取付けられる被取付け部を有する照明器具本体を備え、上記照明器具本体が、基台部と、上記基台部に取付け固定されたほぼリング状の発光素子照明板部とを備えている照明器具に関するものである。
【背景技術】
【０００２】
上述のような構成を備えている照明装置は、図８および図９に示すように、従来から知られている。なお、これらの図８および図９に示す従来の照明器具１０１は、図１〜図５に示す本考案の第１の実施例における照明器具と同様に、照明器具本体１０２に着脱自在に取付けられる透光性のカバー部材１０３を備えている。そして、上記従来の照明器具１０１は、本考案の第１の実施例における照明器具１とは、以下に記述する点が相違している。すなわち、従来の照明器具１０１においては、図９に示すように、本考案の第１の実施例における内周側のＬＥＤ照明板部６が備えられてはいない。また、上記従来の照明器具１０１は、図９に示すように、本考案の第１の実施例におけるＬＥＤ照明板部５の突出部６７および内周側ＬＥＤ列７７をいずれも備えてはいない。なお、上記従来の照明器具１０１において図１〜図５に示す本考案の第１の実施例と共通の部分には、同一の符号を付して、その説明を適当に省略する。
【考案の概要】
【考案が解決しようとする課題】
【０００３】
この結果、図８および図９に示す従来の照明器具１０１の場合には、内周側のＬＥＤ列７２および外周側のＬＥＤ列７３から発せられる光が透光性カバー部材１０３の中央部分にまで十分に照射されない。このために、透光性カバー部材１０３には、このカバー部材１０３の中央部分の外側面にかげり部分１０４が生じ易い。したがって、上記従来の照明器具１０１の場合には、ＬＥＤが点灯しているときの透光性カバー部材１０３の見栄えが悪く、しかも、照明器具１０１による照明空間をほぼ一様な明るさに保持し難い。
【０００４】
本考案は、上記従来の照明器具１０１における上述のような欠点を、比較的簡単な構成でもって、効果的に是正し得るようにしたものである。
【課題を解決するための手段】
【０００５】
本考案は、器具取付け部に取付けられる被取付け部を有する照明器具本体を備え、上記照明器具本体が、基台部と、上記基台部に直接または間接的に取付け固定された発光素子照明板部とを備え、上記発光素子照明板部が、ほぼリング状の内周側発光素子照明板部と、この内周側発光素子照明板部とは別体に構成されたほぼリング状の外周側発光素子照明板部とを備えていることを特徴とする照明器具に係るものである。そして、本考案は、その第１の観点においては、上記照明器具本体に着脱自在に取付けられた透光性カバー部材をさらに備えている。
【０００６】
また、本考案は、その第２の観点においては、上記内周側発光素子照明板部が、第１の電気的補助部品を介して上記基台部に取付け固定されることによって、上記照明器具の軸心の方向において上記外周側発光素子照明板部よりも上記基台部から離間している。そして、本考案は、その第２の観点の第１の態様においては、上記内周側発光素子照明板部が、上記第１の電気的補助部品を介するとともに支柱部材を介して上記基台部に固定された状態でもって、上記基台部に取付けられている。さらに、本考案は、その第２の観点の第２の態様においては、上記第１の電気的補助部品が、電源回路部および操作スイッチ機構ならびに電源オン・オフ用などの光センサその他の各種のセンサから成る3種類の電気的補助部品のうちの１種類または複数種類の電気的補助部品であってよい。
【０００７】
また、本考案は、その第３の観点においては、上記内周側発光素子照明板部が、この内周側発光素子照明板部の周方向に延在している少なくとも１つの第１の発光素子列を備え、上記外周側発光素子照明板部が、この外周側発光素子照明板部の周方向に延在している少なくとも１つの第２の発光素子列を備え、上記内周側発光素子照明板部の発光素子取付け基板の外周囲と上記外周側発光素子照明板部の発光素子取付け基板の内周囲とのうちのいずれか一方に切欠き部が形成されるとともに、他方には突出部がこの切欠き部にほぼ対向するように形成され、第２の電気的補助部品が、上記切欠き部付近において、上記基台部に取付け固定され、補足的な発光素子列が上記突出部に配設されている。そして、本考案は、その第３の観点の第１の態様においては、上記第２の電気的補助部品が、操作スイッチ機構および電源回路部ならびに電源オン・オフ用などの光センサその他の各種のセンサから成る3種類のうちの１種類または複数種類の電気的補助部品であってよい。そして、上記第２の電気的補助部品が、上記第１の電気的補助部品とは、上記３種類の電気的補助部品のうちの種類の異なる電気的補助部品であるのが好ましい。
【考案の効果】
【０００８】
請求項１に係る考案によれば、比較的簡単な構造であるにもかかわらず、照明器具本体によって照明される照明空間をほぼ一様な明るさに保持し易い。そして、請求項２に係る考案によれば、発光素子が点灯しているときに透光性カバー部材の外側面にかげり部分が生じ難いので、発光素子が点灯しているときの透光性カバー部材の見栄えが良い。
【０００９】
また、請求項３に係る考案によれば、第１の電気的補助部品を基台部に配設しても、内周側の発光素子照明板部を平面的に見て外周側発光素子照明板部に比較的近い位置に配置することができるので、照明器具本体の平面的に見た大きさを比較的小さくすることができる。そして、請求項４に係る考案によれば、請求項３に係る考案によって奏する上述の効果を良好かつ確実に奏することができる。さらに、請求項５に係る考案によれば、第１の電気的補助部品として選択される電源回路部または操作スイッチ機構もしくは電源オン・オフ用などの光センサその他の各種のセンサが比較的大型であっても、照明器具本体の平面的に見た大きさを比較的小さくすることができる。
【００１０】
また、請求項６に係る考案によれば、平面的に見て、内周側の発光素子照明板部と外周側の発光素子照明板部との間に第２の電気的補助部品を配設することを比較的容易に達成することができ、それでいて、内周側の発光素子照明板部と外周側の発光素子照明板部とによって照明される照明空間をほぼ一様な明るさに保持し易い。さらに、請求項７に係る考案によれば、第２の電気的補助部品として選択される電源回路部または操作スイッチ機構もしくは電源オン・オフ用などの光センサその他の各種のセンサが比較的大型であっても、照明器具本体の平面的に見た大きさを比較的小さくすることができる。
【図面の簡単な説明】
【００１１】
【図１】本考案の第１の実施例における照明器具の平面図である。（実施例１）
【図２】図１に示す照明器具の分解斜視図である。（実施例１）
【図３】図１に示す照明器具の照明器具本体の平面図である。（実施例１）
【図４】図３に示す照明器具本体の斜視図である。（実施例１）
【図５】図３のＡ−Ａ線に沿った断面図である。（実施例１）
【図６】本考案の第２の実施例における照明器具の照明器具本体の平面図である。（実施例２）
【図７】図６に示す照明器具本体の斜視図である。（実施例２）
【図８】従来の照明器具の点灯状態での平面図である。（従来例１）
【図９】図８に示す照明器具の照明器具本体の平面図である。（従来例１）
【考案を実施するための形態】
【００１２】
つぎに、本考案を適用した第１および第２の実施例における照明器具を、「１、第１の実施例」および「２、第２の実施例」に項分けして、図面を参照しつつ説明する。
【００１３】
１、第１の実施例
【００１４】
つぎに、本考案の第１の実施例を、「（１）照明器具全体の概略的説明」、「（２）内周側のＬＥＤ照明板部の説明」、「（３）外周側のＬＥＤ照明板部の説明」および「（４）内周側および外周側のＬＥＤ照明板部の寸法の説明」に項分けして、図１〜図５を参照しつつ説明する。
【００１５】
（１）照明機器全体の概略的説明
【００１６】
照明器具１は、図１〜図５に示すように、照明器具本体２と、この照明器具本体２に着脱自在に取付けられる透光性のカバー部材３とを備えている。そして、照明器具本体２は、鉄材などの適当な金属板を板金加工することなどによって構成された基台部４と、ねじ止めなどによって基台部（換言すれば、基板部）４に着脱自在に取付け固定されるＬＥＤ照明板部（換言すれば、チップ型などの発光素子８が取付けられている照明板部）５とを備えている。また、ＬＥＤ照明板部５は、ほぼリング状の内周側のＬＥＤ照明板部６と、この内周側のＬＥＤ照明板部６とは別体に構成されたほぼリング状の外周側のＬＥＤ照明板部７とを備えている。さらに、基台部４は、図２および図５に示すように、照明器具１が設置される建物などの天井などにこの照明器具１を取付けるための中央開孔１１を有している。そして、基台部４の中央開孔１１のほぼ外周囲には、ほぼリング状の被取付け部１２が形成されている。なお、照明器具１は、上記天井に取付けられるときには、図５に示す状態とは上下逆の状態において上記天井に取付けられる。そして、この取付け時には、上記天井などの器具取付け部（図示せず）に予め取付けられているアダプタ（図示せず）に照明器具１の照明器具本体２の被取付け部１２が取付け支持される。
【００１７】
基台部４には、図２および図５に示すように、被取付け部１２の外周囲側において、ほぼリング状の凹部１３が形成されている。なお、図５に示す照明器具１を天井に取付けた状態においては、照明器具１の上側面には、リング状凹部１３の存在によって、ほぼ上方に向かって突出するほぼリング状の凸部１４が形成されている。そして、基台部４の外周囲のほぼ全周には、この基台部４の側からカバー部材３の側に向って立ち上っているほぼリング形状の立ち上り部１５が形成されている。なお、この立ち上り部１５は、その基端側からその先端側に向って、基台部４の径方向における外方に多少傾斜しているのが好ましい。また、基台部４の内側面には、立ち上り部１５の内周囲側において、ほぼリング状の凹部１６が形成されている。そして、図５に示す照明器具１を天井に取り付けた状態においては、照明器具１の上側面には、リング状凹部１６の存在によって、ほぼ上方に向って突出するほぼリング状の凸部１７が形成されている。したがって、基台部４には、内周側のリング状凹部１３と外周側のリング凹部１６との間において、ほぼリング状でほぼ平坦な面２１が形成されている。なお、図５に示す照明器具１を天井に取付けた状態においては、照明器具１の上側面には、リング状平坦面２１の存在によって、ほぼ下方に向って窪んでいるほぼリング状の凹部２２が形成されている。
【００１８】
基台部４のリング状凹部１３には、図２および図５に示すように、電源回路部２３が配設されている。そして、この電源回路部２３は、リング状凹部１３の周方向において例えばおよそ１２０°の角度でもって部分的に存在するように、リング状凹部１３の周方向に沿ってほぼ湾曲している。また、この電源回路部２３は、リング状凹部１３の径方向において、このリング状凹部１３の幅とほぼ同一の幅またはこのリング状凹部１３の幅よりも多少小さい幅を有している。さらに、電源回路部２３は、図５に示すように、基台部４のリング状凹部１３上に取付け固定されている電源回路基板２４と、この電源回路基板２４をカバー部材３の側から覆っている箱蓋形状の被覆部材２５とを備えている。そして、基台部４のリング状凹部１３には、ほぼ長方形状の板状体であってよいスイッチ取付け板２６が取付け固定されている。なお、スイッチ取付け板２６は、リング状凹部１３に横倒しの状態でもって立設されていてよい。そして、スイッチ取付け板２６には、ＬＥＤなどの発光素子８を点灯および消灯させるのに用いられる操作スイッチ２７が、取付け固定されている。さらに、操作スイッチ２７とスイッチ取付け板２６とによって、操作スイッチ機構２８が構成されている。
【００１９】
基台部４のリング状凹部１６には、図２に示すように、基台部４の軸心に対して例えばほぼ１２０°の間隔でもって、例えば３個の係止部材３１が止めねじ３２によってねじ止め固定されている。なお、図示の実施例においては、係止部材３１のそれぞれは、ほぼＺ（ゼット）型アルグル形状であって、その基端面３３が止めねじ３２によってリング状凹部１６にねじ止め固定されている。そして、係止部材３１の上端面３４の長さ方向におけるほぼ中間の位置には、傾斜面３５が形成されている。したがって、リング状凹部１６の周方向における傾斜面３５の両側には、高位面３６および低位面３７がそれぞれ形成されている。そして、低位面３７のうちの、傾斜面３５とは反対側の端部には、ストッパ面４１がほぼ下方に向って突設されている。一方、カバー部材３の外周４２のほぼ全体は、照明器具１の軸心Ｃ１にほぼ向って湾曲している。そして、この湾曲部４２のほぼ先端には、ほぼ下方に向って延在しているほぼリング状の下垂部４３が連設されている。また、このリング状下垂部４３の内周面の上下方向における中間位置には、例えばほぼ６０°の間隔でもって、例えば６個の係止用突条部４４が例えば一体的に形成されている。したがって、カバー部材３を図５に示すように照明器具本体２に重ね合せてから、このカバー部材３を図１における時計方向に回動させたときには、６個の係止用突条部４４のうちの３個の係止用突条部４４のそれぞれが３個の係止部材３１のそれぞれの係止用ストッパ面４１に当接する。このために、上記３個の係止用突条部４４のそれぞれが、係止用ストッパ面４１の付近において、３個の係止部材３１のそれぞれに係止される。したがって、カバー部材３は、照明器具本体２に確実に位置保持される。
【００２０】
（２）内周側のＬＥＤ照明板部の説明
【００２１】
内周側のＬＥＤ照明板部６は、図２などに示すように、大よそ円形状であってよい外周囲４８と、ほぼ円形状であってよい内周囲４９とをそれぞれ有していてよい、例えば円環状などのほぼリング状の例えば１枚形状であってよい。したがって、ＬＥＤ照明板部６は、中央開口４５を有する１枚のリング状ＬＥＤ取付け基板４６を備えている。なお、ＬＥＤ取付け基板４６の一部分は、被覆部材２５上に載置されて、この被覆部材２５にねじ止め固定されている。そして、ＬＥＤ取付け基板４６の他の一部分または他の複数部分は、基台部４のリング状凹部１３上にねじ止め固定された１個または複数個の支柱部材（図示せず）上に載置されて、上記支柱部材にねじ止め固定されている。したがって、ＬＥＤ取付け基板４６は、電源回路部２３上および前記支柱部材上に、ほぼ水平な状態でもって位置保持されている。また、ＬＥＤ取付け基板４６には、上記ねじ止めのために、例えば３個のねじ挿通孔５０が配設されている。さらに、このＬＥＤ取付け基板４６の外周囲の一部には、図３および図５に示すように、スイッチ取付け板２６および操作スイッチ２７をそれぞれ配設するのに支障が生じないようにするための切欠き部４７が備えられている。そして、この切欠き部４７は、ＬＥＤ取付け基板４６の外周囲を欠円形状にするための欠載部５１と、この欠載部５１のほぼ中央部分を掘れ込み形状にするための凹部５２とから、構成されていてよい。
【００２２】
内周側のＬＥＤ照明板部６のＬＥＤ取付け基板４６の外側面には、このＬＥＤ取付け基板４６の内周にほぼ沿ってほぼリング状に延在している内周側のＬＥＤ列５３と、この内周側ＬＥＤ列５３の外周側においてこのＬＥＤ取付け基板４６の外周のうちの切欠き部４７を除く部分にほぼ沿って延在している外周側のＬＥＤ列５４とが、それぞれ配設されている。なお、内周側のＬＥＤ列５３においては、多数個のＬＥＤ８がほぼ等間隔でもって配置されていてもよいが、図示の実施例においては、ＬＥＤ８の相互の間隔が特に狭い箇所を備えている。また、外周側のＬＥＤ列５４においては、切欠き部４７が設けられている箇所においてＬＥＤ８が存在しないことを除いて、ＬＥＤ８がほぼ等間隔でもって配置されている。なお、図２などにおいて、符号５５は、内周側のＬＥＤ照明板部６のＬＥＤ８に給電するためのコネクタである。
【００２３】
（３）外周側のＬＥＤ照明板部の説明
【００２４】
外周側のＬＥＤ照明板部７は、図２などに示すように、例えば１／４リング片からそれぞれ構成された４枚のＬＥＤ取付け基板６１、６２、６３、６４を備えていてよい。そして、これらのＬＥＤ取付け基板６１〜６４は、全体として大よそ円環状などの大よそリング状になるように配置されていてよい。具体的には、これらのＬＥＤ取付け基板６１〜６４のそれぞれは、基台部４のほぼリング状の平坦面２１にねじ止め固定されている。この場合、外周側のＬＥＤ照明板部７のＬＥＤ取付け基板６１〜６４のそれぞれは、リング状平坦面２１上に、ほぼ水平な状態でもって位置保持されている。これに対し、内周側のＬＥＤ照明板部６のＬＥＤ取付け基板４６は、電源回路部２３および前記支持部材上に、ほぼ水平な状態でもって位置保持されている。したがって、内周側のＬＥＤ照明板部６は、外周側のＬＥＤ照明板部７よりも電源回路部２３の高さにほぼ等しい高さ（正確には、電源回路部２３の高さからほぼリング状の凹部１３の深さを差し引いた高さ）だけ、軸心Ｃ１の方向においてカバー部材３の側に位置ずれしている。
【００２５】
例えば４枚のＬＥＤ取付け基板６１〜６４の相互の間には、適当な幅を有する間隙６５がそれぞれ形成されていてよい。そして、ＬＥＤ取付け基板６１〜６４のそれぞれは、照明器具１の軸心Ｃ１に対して、ほぼ９０°の角度を成すように延在している。また、ＬＥＤ取付け基板６１〜６４のそれぞれには、上記ねじ止めのために、例えば３個のねじ挿通孔６６が配設されている。さらに、ＬＥＤ取付け基板６４の内周囲のうちの切欠き部４７に対向する部分には、図２などに示すように、軸心Ｃ１にほぼ向かってかつこの軸心Ｃ１に対してほぼ９０°を成すように突出している突出部６７が備えられている。そして、この突出部６７のうちの軸心Ｃ１の側は、欠截部５１および凹部５２とそれぞれほぼ平行な直線形状になっていてよい。また、突出部６７のほぼ水平方向における長さ（換言すれば、欠截部５１および凹部５２とはそれぞれほぼ平行な方向における長さ）は、切欠き部４７の水平方向における長さとほぼ同一であってよい。なお、ＬＥＤ取付け基板６４の外周囲には、図２などに示すように、切り込み形状の凹部７１が形成されている。そして、この凹部７１は、操作スイッチ２７などを操作するための操作用ひも（図示せず）を挿通させるのに用いられることができる。なお、この操作用ひもの基端部は、操作スイッチ２７に取付けられていてよい。そして、この操作用ひもは、基台部４の外部に導き出されていて、その先端部が使用者などにより引っ張り操作されることなどによって、操作スイッチ２７がオン・オフするように構成されていてよい。
【００２６】
外周側のＬＥＤ照明板部７の３枚のＬＥＤ取付け基板６１、６２、６３の外側面には、これらのＬＥＤ取付け基板６１、６２、６３の内周にほぼ沿って延在している内周側のＬＥＤ列７２と、ＬＥＤ取付け基板６１、６２、６３の外周（換言すれば、内周側のＬＥＤ列７２の外周側）にほぼ沿って延在している外周側のＬＥＤ列７３とが、それぞれ配設されている。そして、残り１枚のＬＥＤ取付け基板６４の外側面には、上記外周側のＬＥＤ列７３とほぼ同一の構成であってよい外周側のＬＥＤ列７４と、上記内周側のＬＥＤ列７２とほぼ同一の構成であってよい中間位置のＬＥＤ列７５と、ＬＥＤ取付け基板６４の内周（換言すれば、突出部６７の内周側のほぼ直線形状の端部７６）にほぼ沿って例えばほぼ直線的に配列されている内周側のＬＥＤ列７７とが、それぞれ配設されている。なお、照明器具本体２を図３に示すように平面的に見た場合には、内周側のＬＥＤ照明板部６と外周側のＬＥＤ照明板部７との間には、適当な間隙８１が形成されている。また、照明器具本体２を図３に示すように平面的に見た場合には、ＬＥＤ取付け基板６４上の内周側のＬＥＤ列７７がＬＥＤ取付け基板４６上の外周側のＬＥＤ列５４の欠如部分（換言すれば、切欠き部４７に相当する部分）をほぼ補完している。なお、図２などにおいて、符号８２は、外周面のＬＥＤ照明板部７の４枚のＬＥＤ取付け基板６１〜６４上のＬＥＤ８を電気的に相互に接続したり給電したりするのに用いられるコネクタである。
【００２７】
図１〜図５に示すように構成された照明器具１によれば、上記操作用ひもを操作して操作スイッチ２７をオン状態にすると、内周側のＬＥＤ照明板部６および外周側のＬＥＤ照明板部７のうちのいずれか一方または両方のＬＥＤ８に通電して発光させることができる。また、上記操作用ひもを再操作することによって、発光中のＬＥＤ８を消光させることができる。この場合、多数個のＬＥＤ８によって、基台部４の外周側から内周側に向かって、最外周のＬＥＤ列７３、７４、これらのＬＥＤ列７３、７４の内周側に隣接しているＬＥＤ列７２、７５、これらのＬＥＤ列７２、７５の内周側に隣接しているＬＥＤ列５４、７７および最内周のＬＥＤ列５３のそれぞれが、順次ほぼ等間隔でもって構成されている。しかも、最内周のＬＥＤ列５３の径が、最外周のＬＥＤ列７３、７４の径に較べて十分小さく形成されている。したがって、カバー部材３には、ＬＥＤ列５３、５４、７２〜７５、７７から発せられる光がほぼ満遍なく照射されるので、カバー部材３の外側面８３（特に、カバー部材３の中央部分の外側面）にかげり部分が生じ難い。
【００２８】
（４）内周側および外周側のＬＥＤ照明板部の寸法の説明
【００２９】
図１〜図５に示す内周側のＬＥＤ照明板部６の各部の寸法は、図示の実施例においては、つぎの（ａ）項〜（ｆ）項に記載の通りである：
（ａ）ほぼ円形状の中央開孔１１の半径：ほぼ５５ｍｍ、
（ｂ）切欠き部４７を除く外周囲の半径（換言すれば、軸心Ｃ１から上記外周囲までの最短距離の長さ）：ほぼ１１０ｍｍ、
（ｃ）切欠き部４７と軸心Ｃ１との最短距離：ほぼ７８．７ｍｍ、
（ｄ）切欠き部４７のほぼ水平方向における全長：ほぼ１３０ｍｍ、
（ｅ）凹部５２のほぼ長さ方向（換言すれば、軸心Ｃ１とほぼ直角を成す方向）における全長：ほぼ９２．５ｍｍ、および
（ｆ）凹部５２の深さ（換言すれば、軸心Ｃ１とほぼ直角をなす方向における長さ）：ほぼ１０ｍｍ。
【００３０】
図１〜図５に示す外周側のＬＥＤ照明板部７の各部の寸法（下記の（ｇ）項〜（ｊ）項）およびこれらに関連した寸法（下記の（ｋ）項）は、図示の実施例においては、つぎの（ｇ）項〜（ｋ）項に記載の通りである：
（ｇ）突出部６７を除く内周囲の半径：ほぼ１２５ｍｍ、
（ｈ）外周囲の半径：ほぼ１８６ｍｍ、
（ｉ）突出部６７と軸心Ｃ１との最短距離：ほぼ１０５ｍｍ、
（ｊ）突出部６７の長さ方向（換言すれば、軸心Ｃ１とほぼ直角を成す方向）における長さ：ほぼ１３５．６ｍｍ、および
（ｋ）内周側のＬＥＤ照明板部６のＬＥＤ取付け基板４６のＬＥＤ取付け面と、外周側のＬＥＤ照明板部７のＬＥＤ取付け基板６１〜６４のＬＥＤ取付け面との相互の間隔：ほぼ２２ｍｍ。
【００３１】
２、第２の実施例
【００３２】
つぎに、本考案の第２の実施例を図６および図７を参照しつつ説明すると、本考案の第２の実施例における照明器具１は、外周側のＬＥＤ照明板部７の構成が前記第１の実施例の場合とは相違していることを除いて、前記第１の実施例における照明器具１と実質的に同一の構成であってよい。したがって、図６および図７に示す第２の実施例においては、図１〜図５に示す第１の実施例と共通の部分に同一の符号を付して、その説明を適当に省略する。
【００３３】
図６および図７に示す照明器具１においては、外周側のＬＥＤ照明板部７は、図６および図７に示すように、例えば円環状などのほぼリング状の１枚形状に構成されている。そして、外周側のＬＥＤ照明板部７は、ほぼ円形状であってよい外周囲９１と、ほぼ円形状であってよい内周囲９２とをそれぞれ有していてよい。また、図６および図７に示す照明器具１においては、前記第１の実施例において設けられていた４ヶ所の間隙６５は、いずれも設けられていない。このために、前記第１の実施例において外周側のＬＥＤ照明板部７上に配設されていた８個のコネクタ８２のうちの７個のコネクタ８２は、この第２の実施例においては、いずれも省略されている。そして、残りの１個のコネクタ８２は、内周側のＬＥＤ照明板部６上に配設されている１個のコネクタ５５にほぼ対向するように、外周側のＬＥＤ照明板部７上に配設されている。したがって、これらの一対のコネクタ５５、８２を接続用コネクタ（図示せず）により電気的に接続することによって、電源回路部２３は、内周側のＬＥＤ照明板部６のＬＥＤ８に給電することができるだけでなく、外周側のＬＥＤ照明板部７のＬＥＤ８にも給電することができる。
【００３４】
以上、本考案を第１および第２の実施例について詳細に説明したが、本考案は、これら第１および第２の実施例に限定されるものではなく、実用新案登録請求の範囲に記載された考案の趣旨に基づいて各種の変更および修正が可能である。
【００３５】
例えば、上記第１および第２の実施例においては、内周側のＬＥＤ照明板部６および外周側のＬＥＤ照明板部７のそれぞれをほぼ円環状に構成した。しかし、これらのＬＥＤ照明板部６、７のそれぞれは、長円環状、楕円環状などのほぼリング状であってもよい。
【００３６】
また、上記第１および第２の実施例においては、内周側のＬＥＤ照明板部６および外周側のＬＥＤ照明板部７のそれぞれにリング状のＬＥＤ列７２〜７５を２組ずつ配設した。しかし、内周側のＬＥＤ照明板部６および外周側のＬＥＤ照明板部７のそれぞれにリング状のＬＥＤ列を１組または３組以上配設することもできる。
【００３７】
また、上記第１および第２の実施例においては、内周側のＬＥＤ照明板部６のＬＥＤ取付け基板４６と基台部４との間に、電源回路部２３を配設した。そして、上記ＬＥＤ取付け基板４６の外周囲のうちの切欠き部４７が形成されている箇所と、外周側のＬＥＤ照明板部７のＬＥＤ取付け基板６４の内周囲のうちの突出部６７が形成されている箇所との間に、スイッチ取付け板２６および操作スイッチ２７から成る操作スイッチ機構２８を配設した。しかし、電源回路部２３の配置箇所と上記操作スイッチ機構２８の配置箇所とを互いに逆にしてもよい。さらに、上記電源回路部２３および上記操作スイッチ機構２８に加えてまたはこれらの少なくとも１方に代えて、電源回路部２３および上記操作スイッチ機構２８以外の電源オン・オフ用などの光センサその他のセンサなどの他の電気的補助部品を照明器具１に配設することもできる。
【００３８】
また、上記第１および第２の実施例においては、内周側のＬＥＤ照明板部６のＬＥＤ取付け基板４６に切欠き部４７を形成するとともに、外周側のＬＥＤ照明板部７のＬＥＤ取付け基板６４に突出部６７を形成した。しかし、切欠き部４７と突出部６７との位置関係を上述の場合とは逆にすることも可能である。そして、この場合には、外周側のＬＥＤ照明板部７のＬＥＤ取付け基板６４に切欠き部４７を形成するとともに、内周側のＬＥＤ照明板部６のＬＥＤ取付け基板４６に突出部６７を形成すればよい。また、内周側のＬＥＤ列７７は、外周側のＬＥＤ列として、内周側のＬＥＤ照明板部６のＬＥＤ取付け基板４６の上記突出部６７に形成されればよい。
【００３９】
また、上記第１および第２の実施例においては、内周側のＬＥＤ照明板部６が、１枚のリング状ＬＥＤ取付け基板４６を備えている。しかし、内周側のＬＥＤ照明板部６は、外周側ＬＥＤ照明板部７の場合と同様に１／４リング片などからそれぞれ構成された複数枚のＬＥＤ取付け基板を備えていてもよい。
【００４０】
さらに、上記第１および第２の実施例においては、電源回路部２３、操作スイッチ２７およびＬＥＤ８とＬＥＤ照明器具１の周辺付近の人体との間の電気的絶縁を行うための例えば透明な絶縁カバーの図示を省略した。しかし、上記絶縁カバーを必要に応じてＬＥＤ照明器具１に配設することができる。そして、このような絶縁カバーとしては、例えば、内周側ＬＥＤ照明板部６および外周側ＬＥＤ照明板部７を平面的に見てほぼ全体的に覆うようにかつ基台部４とカバー部材３との間に介在するように、基台部４に取付けられた一枚の絶縁カバーが用いられることができる。また、上記絶縁カバーとしては、内周側ＬＥＤ照明板部６のＬＥＤ取付け基板４６と必要に応じてその周辺と、このＬＥＤ取付け基板４６に取付けられたＬＥＤ８を含めて、覆うことができる第１の絶縁カバーと、外周側ＬＥＤ照明板部７の４枚のＬＥＤ取付け基板６１〜６４のそれぞれと必要に応じてそれらの周辺とを、これらのＬＥＤ取付け基板６１〜６４にそれぞれ取付けられたＬＥＤを含めて、覆うことができる第２〜第５の絶縁カバーが、用いられることもできる。
【符号の説明】
【００４１】
１      照明器具
２      照明器具本体
３      透光性カバー部材
４      基台部（基板部）
５      ＬＥＤ照明板部（発光素子照明板部）
６      内周側ＬＥＤ照明板部（内周側発光素子照明板部）
７      外周側ＬＥＤ照明板部（外周側発光素子照明板部）
１２    被取付け部
２３    電源回路部（電気的補助部品）
２８    操作スイッチ機構（電気的補助部品）
４６    ＬＥＤ取付け基板（発光素子取付け基板）
４７    切欠き部
５３    内周側のＬＥＤ列（第１の発光素子列）
５４    外周側のＬＥＤ列（第１の発光素子列）
６４    ＬＥＤ取付け基板（発光素子取付け基板）
６７    突出部
７２    内周側のＬＥＤ列（第２の発光素子列）
７３    外周側のＬＥＤ列（第２の発光素子列）
７７    内周側のＬＥＤ列（補足的な発光素子列）
Ｃ１    軸心
【図１】
0003193698.tif 000003
【図２】
0003193698.tif 000004
【図３】
0003193698.tif 000005
【図４】
0003193698.tif 000006
【図５】
0003193698.tif 000007
【図６】
0003193698.tif 000008
【図７】
0003193698.tif 000009
【図８】
0003193698.tif 000010
【図９】
0003193698.tif 000011